(57)【要約】【課題】本発明は、画像処理の効率を格段と向上させ得る撮像装置及びその方法並びに画像処理装置及びその方法を実現するものである。【解決手段】各マークごとに、画像フォーマットに応じた所定数の画素単位でなる画像ブロック群と、当該画像ブロック群に対応しかつ輝度レベルのみ設定された画素単位でなる画素群とを予め記憶しておき、タイミングの指定時に動画像に各マークの画像が重畳されている場合には、当該各マークに対応する画像ブロック群及び画素群を読み出して静止画像に重畳させるようにした。【選択図】        図２
2004274626.tif 000002
【特許請求の範囲】
【請求項１】
被写体の撮像結果を表示手段に表示する撮像装置において、
複数種類のマークがそれぞれ割り当てられ、当該各マークごとに対応する画像が予め記憶されている記憶手段と、
上記複数種類のマークの中から必要に応じて指定された１以上の上記マークに対応する上記画像を上記記憶手段から読み出して、上記表示手段に表示されている上記撮像結果に重畳させる重畳手段と、
上記表示手段に表示されている上記撮像結果のうち指定されたタイミングで所定の画像フォーマットに基づく静止画像に変換する画像変換手段と
を具え、
上記記憶手段には、各上記マークごとに、上記画像フォーマットに応じた所定数の画素単位でなる画像ブロック群と、当該画像ブロック群に対応しかつ輝度レベルのみ設定された画素単位でなる画素群とが予め記憶され、
上記重畳手段は、上記タイミングの指定時に上記撮像結果に各上記マークの画像が重畳されている場合には、当該各マークに対応する上記画像ブロック群及び上記画素群を上記記憶手段から読み出して、上記静止画像に重畳させる
ことを特徴とする撮像装置。
【請求項２】
上記重畳手段は、各上記マークごとに、上記画像ブロック群を上記静止画像に重畳した後に、上記画素群を上記静止画像及び上記画像ブロック群に重畳させる
ことを特徴とする請求項１に記載の撮像装置。
【請求項３】
各上記マークごとに上記画像ブロック群及び上記画素群が設定されており、
上記画像ブロック群は、対応する上記マークの画像の輪郭からはみ出さないように上記画像ブロック単位で敷き詰めるように配置され、
上記画素群は、上記画像ブロック群の周縁部及び又は内部において当該マークの画像の輪郭部分のうち欠落した画像部分を補填すると共に、当該画像ブロック群の周縁部及び又は内部において一方の画素に輝度調整が必要な画像ブロックに上書きするように画素単位で配置されている
ことを特徴とする請求項１に記載の撮像装置。
【請求項４】
外部に設けられた転送対象から上記タイミングの指定が与えられたとき、上記重畳手段により得られる各上記マークに対応する上記画像ブロック群及び上記画素群が重畳された上記静止画像を、上記転送対象に転送する転送手段
を具えることを特徴とする請求項１に記載の撮像装置。
【請求項５】
被写体の撮像結果を表示手段に表示する撮像方法において、
複数種類のマークについて、各上記マークごとに、上記画像フォーマットに応じた所定数の画素単位でなる画像ブロック群と、当該画像ブロック群に対応しかつ輝度レベルのみ設定された画素単位でなる画素群とを予め記憶しておく第１のステップと、
上記複数種類のマークの中から必要に応じて指定された１以上の上記マークに対応する画像を上記表示手段に表示されている上記撮像結果に重畳させる第２のステップと、
上記表示手段に表示されている上記撮像結果のうち指定されたタイミングで所定の画像フォーマットに基づく静止画像に変換する第３のステップと、
上記タイミングの指定時に上記撮像結果に各上記マークの画像が重畳されている場合には、当該各マークに対応する上記画像ブロック群及び上記画素群を上記静止画像に重畳させる第４のステップと
を具えることを特徴とする撮像方法。
【請求項６】
上記第４のステップでは、
各上記マークごとに、上記画像ブロック群を上記静止画像に重畳した後に、上記画素群を上記静止画像及び上記画像ブロック群に重畳させる
ことを特徴とする請求項５に記載の撮像方法。
【請求項７】
上記第１のステップでは、
各上記マークごとに上記画像ブロック群及び上記画素群が設定されており、
上記画像ブロック群は、対応する上記マークの画像の輪郭からはみ出さないように上記画像ブロック単位で敷き詰めるように配置され、
上記画素群は、上記画像ブロック群の周縁部及び又は内部において当該マークの画像の輪郭部分のうち欠落した画像部分を補填すると共に、当該画像ブロック群の周縁部及び又は内部において一方の画素に輝度調整が必要な画像ブロックに上書きするように画素単位で配置されている
ことを特徴とする請求項５に記載の撮像方法。
【請求項８】
外部に設けられた転送対象から上記タイミングの指定が与えられたとき、上記第４のステップにより得られる各上記マークに対応する上記画像ブロック群及び上記画素群が重畳された上記静止画像を、上記転送対象に転送する第５のステップ
を具えることを特徴とする請求項５に記載の撮像方法。
【請求項９】
動画像を表示手段に表示する画像処理装置において、
複数種類のマークがそれぞれ割り当てられ、当該各マークごとに対応する画像が予め記憶されている記憶手段と、
上記複数種類のマークの中から必要に応じて指定された１以上の上記マークに対応する上記画像を上記記憶手段から読み出して、上記表示手段に表示されている上記動画像に重畳させる重畳手段と、
上記表示手段に表示されている上記動画像のうち指定されたタイミングで所定の画像フォーマットに基づく静止画像に変換する画像変換手段と
を具え、
上記記憶手段には、各上記マークごとに、上記画像フォーマットに応じた所定数の画素単位でなる画像ブロック群と、当該画像ブロック群に対応しかつ輝度レベルのみ設定された画素単位でなる画素群とが予め記憶され、
上記重畳手段は、上記タイミングの指定時に上記動画像に各上記マークの画像が重畳されている場合には、当該各マークに対応する上記画像ブロック群及び上記画素群を上記記憶手段から読み出して、上記静止画像に重畳させる
ことを特徴とする画像処理装置。
【請求項１０】
上記重畳手段は、各上記マークごとに、上記画像ブロック群を上記静止画像に重畳した後に、上記画素群を上記静止画像及び上記画像ブロック群に重畳させる
ことを特徴とする請求項９に記載の画像処理装置。
【請求項１１】
各上記マークごとに上記画像ブロック群及び上記画素群が設定されており、
上記画像ブロック群は、対応する上記マークの画像の輪郭からはみ出さないように上記画像ブロック単位で敷き詰めるように配置され、
上記画素群は、上記画像ブロック群の周縁部及び又は内部において当該マークの画像の輪郭部分のうち欠落した画像部分を補填すると共に、当該画像ブロック群の周縁部及び又は内部において一方の画素に輝度調整が必要な画像ブロックに上書きするように画素単位で配置されている
ことを特徴とする請求項９に記載の画像処理装置。
【請求項１２】
外部に設けられた転送対象から上記タイミングの指定が与えられたとき、上記重畳手段により得られる各上記マークに対応する上記画像ブロック群及び上記画素群が重畳された上記静止画像を、上記転送対象に転送する転送手段
を具えることを特徴とする請求項９に記載の画像処理装置。
【請求項１３】
動画像を表示手段に表示する画像処理方法において、
複数種類のマークについて、各上記マークごとに、上記画像フォーマットに応じた所定数の画素単位でなる画像ブロック群と、当該画像ブロック群に対応しかつ輝度レベルのみ設定された画素単位でなる画素群とを予め記憶しておく第１のステップと、
上記複数種類のマークの中から必要に応じて指定された１以上の上記マークに対応する画像を上記表示手段に表示されている上記動画像に重畳させる第２のステップと、
上記表示手段に表示されている上記動画像のうち指定されたタイミングで所定の画像フォーマットに基づく静止画像に変換する第３のステップと、
上記タイミングの指定時に上記動画像に各上記マークの画像が重畳されている場合には、当該各マークに対応する上記画像ブロック群及び上記画素群を上記静止画像に重畳させる第４のステップと
を具えることを特徴とする画像処理方法。
【請求項１４】
上記第４のステップでは、
各上記マークごとに、上記画像ブロック群を上記静止画像に重畳した後に、上記画素群を上記静止画像及び上記画像ブロック群に重畳させる
ことを特徴とする請求項１３に記載の画像処理方法。
【請求項１５】
上記第１のステップでは、
各上記マークごとに上記画像ブロック群及び上記画素群が設定されており、
上記画像ブロック群は、対応する上記マークの画像の輪郭からはみ出さないように上記画像ブロック単位で敷き詰めるように配置され、
上記画素群は、上記画像ブロック群の周縁部及び又は内部において当該マークの画像の輪郭部分のうち欠落した画像部分を補填すると共に、当該画像ブロック群の周縁部及び又は内部において一方の画素に輝度調整が必要な画像ブロックに上書きするように画素単位で配置されている
ことを特徴とする請求項１３に記載の画像処理方法。
【請求項１６】
外部に設けられた転送対象から上記タイミングの指定が与えられたとき、上記第４のステップにより得られる各上記マークに対応する上記画像ブロック群及び上記画素群が重畳された上記静止画像を、上記転送対象に転送する第５のステップ
を具えることを特徴とする請求項１３に記載の画像処理方法。
【発明の詳細な説明】
【０００１】
【発明の属する技術分野】
本発明は撮像装置及びその方法並びに画像処理装置及びその方法に関し、例えば撮像素子によって撮像された映像を記録媒体に記録するディジタルビデオカメラに適用して好適なものである。
【０００２】
【従来の技術】
従来、この種のディジタルビデオカメラにおいては、撮像素子に結像された映像をカメラ本体に設けられたモニタの表示画面に動画像として表示させながら、ユーザの操作に応じてビデオテープに記録するようになされている。
【０００３】
その際、ディジタルビデオカメラには、各種のカメラ機能の設定状態及び撮影条件等に対応する複数種類のマークが画像パターンとして予め設定保存されており、カメラ内部の状況又はユーザの操作に応じて、該当するマークの画像をモニタの表示画面上の撮像結果にライン単位で重畳表示（ＯＳＤ：Ｏｎ  Ｓｃｒｅｅｎ  Ｄｉｓｐｌａｙ）させるようになされている。
（例えば、特許文献１参照）。
【０００４】
【特許文献１】
特開平２００２−１０８３２５号公報（第５頁〜第６頁、図３）
【０００５】
さらに近年、このようなディジタルビデオカメラには、モニタの表示画面に表示されている撮像結果の中から、ユーザの操作又は転送先の指示に応じて指定された静止画像を記憶媒体に記録すると共に必要に応じて外部機器等へ転送するようになされた技術が一般的に採用されている。
【０００６】
【発明が解決しようとする課題】
ところで、このようなディジタルビデオカメラにおいて、モニタの表示画面上に撮像結果である動画像を表示しながら、指定された静止画像を外部機器等に転送する際に、当該静止画像にも上述のようなオンスクリーン表示用のマークを重畳表示させることが望まれる場合がある。
【０００７】
しかし、例えばＪＰＥＧ（Ｊｏｉｎｔ  Ｐｈｏｔｏｇｒａｐｈｉｃ  Ｅｘｐｅｒｔｓ  Ｇｒｏｕｐｅ  ）規格に基づく圧縮符号化処理が行われた静止画像である場合には、透明色が圧縮対象として採用されていないことから、通常の動画像のようにライン単位でマークの画像を重畳表示させる手法をそのまま適用することができず、当該マークの画像をＪＰＥＧ規格に基づく画像フォーマットに変換した後に静止画像とは別個に転送先へ送信する必要がある。
【０００８】
このため転送先である受信装置において、ＪＰＥＧ規格に基づく画像フォーマットに対応する画像処理を行う機能を有している必要があり、汎用性を確保することが困難となる問題があった。
【０００９】
これに加えてディジタルビデオカメラでは、マークの画像を転送する際に、当該マークに対応するカメラ機能の設定状態又は撮影条件等を任意フォーマットのコードとして作成した後、当該マークに付随して転送させなければならず、かかるカメラ内部における処理負担も考慮しなけらばならない煩雑さがあった。
【００１０】
この問題を解決する一つの方法として、ディジタルビデオカメラにおいて、ＪＰＥＧ規格に基づく画像フォーマットの静止画像に、オンスクリーン表示用のマークの画像を重畳表示させる方法が提案されている。
【００１１】
すなわち国際電気通信連合（ＩＴＵ：Ｉｎｔｅｒｎａｔｉｏｎａｌ  Ｔｅｌｅｃｏｍｍｕｎｉｃａｔｉｏｎ  Ｕｎｉｏｎ）の標準規格として制定されているコンポーネント信号のディジタル符号化規格に基づいて、静止画像及びマークの画像を共通の画像フォーマットとして取り扱うようにして、静止画像にマークの画像を重畳表示させる方法である。
【００１２】
かかる共通の画像フォーマットとして、輝度信号Ｙ及び２つの色差信号Ｃｂ、Ｃｒをそれぞれ別個にディジタル信号にするコンポーネント信号符号化のうち、２つの色差信号Ｃｂ、Ｃｒの標本化周波数を輝度信号Ｙの標本化周波数の半分にして標本化を行う方式（以下、これを４：２：２方式と呼ぶ）がＪＰＥＧ規格等で一般的に用いられている。
【００１３】
この４：２：２方式では、２画素単位のブロック（以下、これを画像ブロックと呼ぶ）を構成要素としてそれらの組み合わせにより画像領域を形成するようになされており、各画像ブロックごとに、１画素単位で個別に輝度調整し得ると共に、２画素単位で同時に色調整し得るようになされている。
【００１４】
ここで、図５に示すように、モニタ１の表示画面１Ａ上に撮像結果でなる動画像ＡＮが表示されており、現在のカメラ内部の状況又はユーザの操作に応じて、少なくとも１以上の該当するオンスクリーン表示用のマークの画像Ｍ１〜Ｍ３が重畳表示された状態にあるときに、当該動画像ＡＮの現時点の静止画像が指定された場合について説明する。
【００１５】
この図５に示すモニタ１の表示画面１Ａのうち左下に位置するオンスクリーン表示用のマークの画像Ｍ１に注目して、実際のサイズよりも格段と縮小してなる全５６画素からなる場合について図６に示す。
【００１６】
この図６において、オンスクリーン表示用のマークの画像Ｍ１は、三角形状の赤色領域ＥＲを黒色の線枠ＥＢで囲むように形成されており、４：２：２方式に基づく座標系を設けた場合、水平方向位置の座標が２ｎ、２（ｎ＋１）、…、２（ｎ＋７）と、垂直方向位置の座標がｍ、ｍ＋１、…、ｍ＋７との方形枠内の画像領域に含まれるようになされている。
【００１７】
この座標系において、マークの画像Ｍ１を含む画像領域のうち、水平方向位置が２（ｎ＋１）〜２（ｎ＋４）の範囲と、垂直方向位置がｍ＋２〜ｍ＋６の範囲との方形枠を抜粋した画像領域ＦＡを図７に示す。
【００１８】
図７に示す画像領域ＦＡを４：２：２方式で表した画像領域ＦＡ１の方形枠を図８に示す。この画像領域ＦＡ１の方形枠において、マークの画像Ｍ１を構成する複数の画像ブロックのうち１０個の画像ブロックＰＢ１〜ＰＢ１０が含まれており、このうち画像ブロックＰＢ１〜ＰＢ３は、２つの画素について、同レベルの輝度を有しかつ双方とも黒色でなる画像ブロックである。
【００１９】
また画像ブロックＰＢ７〜ＰＢ１０は、２つの画素について、同レベルの輝度を有し、かつ双方とも赤色でなる画像ブロックである。さらに画像ブロックＰＢ６は、２つの画素について、同レベルの輝度を有し、かつ一方の画素が赤色でなり他方の画素が黒色でなる画像ブロックである。さらに画像ブロックＰＢ４、ＰＢ５は、２つの画素について、一方の画素が図５に示す表示画面１Ａ内の動画像ＡＮと同一の輝度及び色相でなり、他方の画素が黒色でなる画像ブロックである。
【００２０】
この種のディジタルビデオカメラ（図示せず）において、ＪＰＥＧ規格のような４：２：２方式でなるオンスクリーン表示用のマークの画像を同じ方式の静止画像に重畳表示させる場合には、カメラ全体の制御を司るＣＰＵ（Ｃｅｎｔｒａｌ  Ｐｒｏｃｅｓｓｉｎｇ  Ｕｎｉｔ  ）は、まず予めメモリ内に設定保存されている複数種類のマークの画像のうち現在の状況に該当するマークの画像を読み出す。
【００２１】
続いてＣＰＵは、マークの画像と静止画像の重畳位置の画像領域とを比較して、当該マークの画像の輪郭部分（すなわち静止画像との境界線部分）に対応する画像ブロックを形成する２つの画素のうちの一方の画素について、当該画素をそのまま静止画像の一部として使用することができるか否かを判断する。
【００２２】
そしてＣＰＵは、このマークの画像を構成する複数の画像ブロックのうち、静止画像としてそのまま使用することができない画像ブロックが少なくとも１以上存在すると判断した場合には、当該静止画像をメモリから読み出す。
【００２３】
この後ＣＰＵは、このマークの画像におけるそのまま使用することができない各画像ブロック（図８に示す画像ブロックＰＢ６〜ＰＢ８）を、元の静止画像の対応位置の画像に近い色（白色又は黒色）に合わせるように、当該各画像ブロックのうちの該当する方の画素の輝度をそれぞれ調整する。
【００２４】
次いでＣＰＵは、このように４：２：２方式でオンスクリーン表示用のマークの画像を重畳表示した静止画像を、ユーザの操作又は転送先の指示に応じて外部機器等へ転送する。
【００２５】
しかしながらこのような方法で４：２：２方式の静止画像を転送する方法では、内部のＣＰＵが、オンスクリーン表示用のマークの画像を構成する複数の画像ブロックについて画素単位でそのまま使用するか否かを判断しなければならず、必要に応じて当該各画素の輝度を調整しなければならない煩雑さが生じると共に、メモリに一旦格納した静止画像を当該メモリから再度読み出す必要がある分、ＣＰＵの処理負担がより一層増大するという問題があった。
【００２６】
この問題に対して上述した特許文献１では、オンスクリーン表示用のマークの周辺の範囲をその輝度信号や色差信号のレベル幅を基準として当該範囲のディジタル画像を透明色に調整するようになされているが、ＪＰＥＧ圧縮又はＪＰＥＧ伸張の工程において輝度信号に多少の劣化が生じることを回避していない点において、実用上未だ不十分であった。
【００２７】
本発明は以上の点を考慮してなされたもので、画像処理の効率を格段と向上させ得る撮像装置及びその方法並びに画像処理装置及びその方法を提案しようとするものである。
【００２８】
【課題を解決するための手段】
かかる課題を解決するため本発明においては、被写体の撮像結果を表示手段に表示する撮像装置において、複数種類のマークがそれぞれ割り当てられ、当該各マークごとに対応する画像が予め記憶されている記憶手段と、複数種類のマークの中から必要に応じて指定された１以上のマークに対応する画像を記憶手段から読み出して、表示手段に表示されている撮像結果に重畳させる重畳手段と、表示手段に表示されている撮像結果のうち指定されたタイミングで所定の画像フォーマットに基づく静止画像に変換する画像変換手段とを設け、記憶手段には、各マークごとに、画像フォーマットに応じた所定数の画素単位でなる画像ブロック群と、当該画像ブロック群に対応しかつ輝度レベルのみ設定された画素単位でなる画素群とが予め記憶され、重畳手段は、タイミングの指定時に撮像結果に各マークの画像が重畳されている場合には、当該各マークに対応する画像ブロック群及び画素群を記憶手段から読み出して、静止画像に重畳させるようにした。
【００２９】
この結果この撮像装置では、所定の画像フォーマットに基づく静止画像にマークの画像を重畳する際に、当該マークに対応する画像フォーマットに応じた所定数の画素単位でなる画像ブロック群と、当該画像ブロック群に対応しかつ輝度レベルのみ設定された画素単位でなる画素群とを静止画像に重畳するだけで済むことから、同じ画像フォーマットに基づくマークの画像を静止画像に直接重畳する場合と比較して、画像領域の比較や輝度調整等に要するの処理負担を格段と低減させることができる。
【００３０】
また本発明においては、被写体の撮像結果を表示手段に表示する撮像方法において、複数種類のマークについて、各マークごとに、画像フォーマットに応じた所定数の画素単位でなる画像ブロック群と、当該画像ブロック群に対応しかつ輝度レベルのみ設定された画素単位でなる画素群とを予め記憶しておく第１のステップと、複数種類のマークの中から必要に応じて指定された１以上のマークに対応する画像を表示手段に表示されている撮像結果に重畳させる第２のステップと、表示手段に表示されている撮像結果のうち指定されたタイミングで所定の画像フォーマットに基づく静止画像に変換する第３のステップと、タイミングの指定時に撮像結果に各マークの画像が重畳されている場合には、当該各マークに対応する画像ブロック群及び画素群を静止画像に重畳させる第４のステップとを設けるようにした。
【００３１】
この結果この撮像方法では、所定の画像フォーマットに基づく静止画像にマークの画像を重畳する際に、当該マークに対応する画像フォーマットに応じた所定数の画素単位でなる画像ブロック群と、当該画像ブロック群に対応しかつ輝度レベルのみ設定された画素単位でなる画素群とを静止画像に重畳するだけで済むことから、同じ画像フォーマットに基づくマークの画像を静止画像に直接重畳する場合と比較して、画像領域の比較や輝度調整等に要するの処理負担を格段と低減させることができる。
【００３２】
さらに本発明においては、動画像を表示手段に表示する画像処理装置において、複数種類のマークがそれぞれ割り当てられ、当該各マークごとに対応する画像が予め記憶されている記憶手段と、複数種類のマークの中から必要に応じて指定された１以上のマークに対応する画像を記憶手段から読み出して、表示手段に表示されている動画像に重畳させる重畳手段と、表示手段に表示されている動画像のうち指定されたタイミングで所定の画像フォーマットに基づく静止画像に変換する画像変換手段とを設け、記憶手段には、各マークごとに、画像フォーマットに応じた所定数の画素単位でなる画像ブロック群と、当該画像ブロック群に対応しかつ輝度レベルのみ設定された画素単位でなる画素群とが予め記憶され、重畳手段は、タイミングの指定時に動画像に各マークの画像が重畳されている場合には、当該各マークに対応する画像ブロック群及び画素群を記憶手段から読み出して、静止画像に重畳させるようにした。
【００３３】
この結果この画像処理装置では、所定の画像フォーマットに基づく静止画像にマークの画像を重畳する際に、当該マークに対応する画像フォーマットに応じた所定数の画素単位でなる画像ブロック群と、当該画像ブロック群に対応しかつ輝度レベルのみ設定された画素単位でなる画素群とを静止画像に重畳するだけで済むことから、同じ画像フォーマットに基づくマークの画像を静止画像に直接重畳する場合と比較して、画像領域の比較や輝度調整等に要するの処理負担を格段と低減させることができる。
【００３４】
さらに本発明においては、動画像を表示手段に表示する画像処理方法において、複数種類のマークについて、各マークごとに、画像フォーマットに応じた所定数の画素単位でなる画像ブロック群と、当該画像ブロック群に対応しかつ輝度レベルのみ設定された画素単位でなる画素群とを予め記憶しておく第１のステップと、複数種類のマークの中から必要に応じて指定された１以上のマークに対応する画像を表示手段に表示されている動画像に重畳させる第２のステップと、表示手段に表示されている動画像のうち指定されたタイミングで所定の画像フォーマットに基づく静止画像に変換する第３のステップと、タイミングの指定時に動画像に各マークの画像が重畳されている場合には、当該各マークに対応する画像ブロック群及び画素群を静止画像に重畳させる第４のステップとを設けるようにした。
【００３５】
この結果この画像処理方法では、所定の画像フォーマットに基づく静止画像にマークの画像を重畳する際に、当該マークに対応する画像フォーマットに応じた所定数の画素単位でなる画像ブロック群と、当該画像ブロック群に対応しかつ輝度レベルのみ設定された画素単位でなる画素群とを静止画像に重畳するだけで済むことから、同じ画像フォーマットに基づくマークの画像を静止画像に直接重畳する場合と比較して、画像領域の比較や輝度調整等に要するの処理負担を格段と低減させることができる。
【００３６】
【発明の実施の形態】
以下図面について、本発明の一実施の形態を詳述する。
【００３７】
（１）ディジタルビデオカメラの全体構成
図１において、１は全体としてディジタルビデオカメラを示し、投影レンズ２を介して入射した撮像光Ｌ１をＣＣＤ（Ｃｈａｒｇｅ  Ｃｏｕｐｌｅｄ  Ｄｉｖｉｃｅ  ：電荷結合素子）３の撮像面において光電変換することにより撮像信号Ｓ１を得、これをＣＤＳ（Ｃｏｒｒｅｌａｔｅｄ  Ｄｏｕｂｌｅ  Ｓａｍｐｌｉｎｇ：相関２重サンプリング回路）及びＡＧＣ（Ａｕｔｏ
Ｇａｉｎ  Ｃｏｎｔｒｏｌ  ：自動利得制御回路）部４に送出する。
【００３８】
ＣＤＳ及びＡＧＣ部４は、撮像信号Ｓ１にリセット雑音が発生する期間においてその信号レベルを所定電位でクランプすることによって雑音成分を低減すると共に、当該撮像信号Ｓ１の振幅を自動的に調整して出力を所定値に制御することによってコントラストの変動を防止する。このようにして得られた撮像信号Ｓ２は続くアナログ／ディジタル変換（Ａ／Ｄ）部５に送出され、ディジタル撮像信号Ｓ３に変換された後、信号処理部６に送出される。
【００３９】
信号処理部６は、ディジタル撮像信号Ｓ３に対してＹ／Ｃ分離、ホワイトバランス調整処理及びγ（ガンマ）補正等を施した後、これをマトリクス処理によってビデオ信号Ｓ４に変換し、これをメモリコントローラ７に送出する。
【００４０】
これらＣＣＤ３、ＣＤＳ及びＡＧＣ部４、Ａ／Ｄ変換部５、信号処理部６及びメモリコントローラ７は、バス８を介してディジタルビデオカメラ１全体の制御を司るＣＰＵ（Ｃｅｎｔｒａｌ  Ｐｒｏｃｅｓｓｉｎｇ  Ｕｎｉｔ  ）９と接続され、当該ＣＰＵ９の制御に基づいて各種動作を実行するようになされている。
【００４１】
メモリコントローラ７は、通常の被写体確認時（すわなち動画撮像時）には、ビデオ信号Ｓ４をフレーム単位でＲＡＭ（Ｒａｎｄｏｍ  Ａｃｃｅｓｓ  Ｍｅｍｏｒｙ）１０に順次書き込むと共に、ビデオエンコーダ１１を介して所定方式（例えばＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式等）のコンポジット信号Ｓ５に変換した後、これを液晶モニタ１２及び外部接続端子１３に送出する。
【００４２】
その際、メモリコントローラ７は、ユーザからズーム処理等の指令を受けた場合には、ビデオ信号Ｓ４をフレーム単位でそれぞれ指定倍率に拡大又は縮小した後、これら拡大画像又は縮小画像としてＲＡＭ１０に順次書き込むと共に、ビデオエンコーダ１１を介して液晶モニタ１２の表示画面１２Ａに表示させる。
【００４３】
これにより液晶モニタ１２の表示画面１２Ａにコンポジット信号Ｓ５に基づく動画像（以下、これをファインダ画像と呼ぶ）がリアルタイムで表示されると共に、外部接続端子１３に例えばパーソナルコンピュータやビデオモニタ等（図示せず）が接続されている場合には、当該外部接続端子１３を介して供給されたコンポジット信号Ｓ５に基づくファインダ画像がリアルタイムで表示される。
【００４４】
またＣＰＵ９には、動作プログラムや各定数が記憶されているＲＯＭ（Ｒｅａｄ  Ｏｎｌｙ  Ｍｅｍｏｒｙ）１４と、ディジタルビデオカメラ１の動作に関する各種定数や各種情報を電源遮断時にも記憶し続けることができる不揮発性メモリ１５とがバス８を介して接続され、これらのメモリ１４、１５に対して各種データを必要に応じて記録及び又は再生し得るようになされている。
【００４５】
さらにＣＰＵ９には、各種キー等からなる操作部１６がＩ／Ｏ（Ｉｎｐｕｔ／Ｏｕｔｐｕｔ）ポート１７及び続くバス８を介して接続されると共に、テープ収納部１８がインターフェイス１９及び続くバス８を介して接続されており、ユーザによる操作部１６による操作内容及びビデオテープＶＴの挿脱に応じた伝達信号を受けるようになされている。
【００４６】
さらにＣＰＵ９には、例えばブルートゥース（Ｂｌｕｅｔｏｏｔｈ）等の無線ＬＡＮ（Ｌｏｃａｌ  Ａｒｅａ  Ｎｅｔｗｏｒｋ）による送受信部２０がインターフェース２１及び続くバス８を介して接続されており、対応する各種の外部機器（図示せず）との間で種々の情報を送受信し得るようになされている。
【００４７】
かかる構成に加えて、ＲＯＭ１４には、各種のカメラ機能の設定状態及び撮影条件等に対応する複数種類のマークが画像パターンとして設定保存されている。そしてＣＰＵ９は、カメラ内部の状況又はユーザの操作に応じて、ＲＯＭ１４に読出指令信号Ｓ１０を送出するようにして、ＲＯＭ１４から該当するマークの画像を読み出させた後、ビデオエンコーダ１１を介して液晶モニタ１２の表示画面１２Ａ上のファインダ画像（動画像）に重畳表示させる。
【００４８】
この場合、ＲＯＭ１４には、さらに各種のマークの画像パターンが液晶モニタ１２の表示画面１２Ａのどの位置に表示されているかを表す表示位置データＳ１１も予め格納されており、ＣＰＵ９は、当該ＲＯＭ１４から必要に応じて表示位置データＳ１１を読み出して参照することにより、現在液晶モニタ１２の表示画面１２Ａに表示されているマークの画像が当該表示画面１２Ａのどの位置に表示されているかを常時判断することができる。
【００４９】
ここでユーザが操作部１６のうちのシャッタボタン（図示せず）を押圧操作したとき（すなわち静止画撮像時）や、外部機器から送受信部２０を介して静止画像の転送要求（例えばブルートゥースにおけるＢＩＰ（Ｂａｓｉｃ  Ｉｍａｇｉｎｇ  Ｐｒｏｆｉｌｅ））があった場合には、ＣＰＵ９からバス８を介して記録指令信号Ｓ１２がメモリコントローラ７に送出される。
【００５０】
これによりメモリコントローラ７は、ＲＡＭ１０にビデオ信号Ｓ４を書き込みながら当該ビデオ信号Ｓ４に基づく複数のフレーム画像の中からシャッタ時又は転送要求時に撮像したフレーム画像を読み出した後、バス８を介してデータ圧縮伸長部２２に送出する。
【００５１】
その際、ＣＰＵ９は、ＲＯＭ１４に読出指令信号Ｓ１０を与えて当該ＲＯＭ１４から該当するマークの画像を読み出し、当該マークの画像をＲＡＭ１０に格納されているビデオ信号Ｓ４に基づくフレーム画像に重畳させた後、ビデオエンコーダ１１を介して液晶モニタ１２の表示画面１２Ａ上にファインダ画像として表示させると共に、データ圧縮伸長部２２に送出する。
【００５２】
このデータ圧縮伸長部２２は、ＲＡＭ１０から与えられたマークの画像が重畳されたフレーム画像に対してＪＰＥＧ（Ｊｏｉｎｔ  Ｐｈｏｔｏｇｒａｐｈｉｃ  Ｅｘｐｅｒｔｓ  Ｇｒｏｕｐｅ  ）規格に基づく圧縮符号化処理を行うことにより、画像情報が圧縮されたフレーム画像を得る。
【００５３】
この後、ＣＰＵ９は、データ圧縮伸長部２２においてマークの画像が重畳された圧縮フレーム画像を、再度ＲＡＭ１０に書き込み、又はインターフェイス２１及び送受信部２０を介して転送要求を送信した外部機器に転送する。
【００５４】
（２）本実施の形態によるマーク画像重畳方法
ここで本実施の形態によるディジタルビデオカメラ１においては、液晶モニタ１２の表示画面１２Ａに表示されているファインダ画像（動画像）のうち、ユーザの操作又は外部機器からの転送要求に応じたタイミングで指定されたファインダ画像を、ＪＰＥＧ規格に基づく圧縮符号化処理が行われた静止画像としてＲＡＭ１０に格納すると共に外部機器に転送する。
【００５５】
このとき液晶モニタ１２の表示画面１２Ａに表示されているファインダ画像（動画像）にカメラ内部の状況又はユーザの指示に応じたマークの画像が重畳して表示されている場合には、当該ファインダ画像を圧縮符号化処理する際に、同じマークの画像を同じ位置関係を保って重畳させることにより、転送対象となる静止画像を生成するようになされている。
【００５６】
具体的にはＪＰＥＧ規格で用いられる４：２：２方式を、静止画像とマークの画像との共通の画像フォーマットとして適用する場合について説明する。すなわち４：２：２方式では、２画素単位の画像ブロックを構成要素としてそれらの組み合わせにより画像領域を形成するようになされ、各画像ブロックごとに、１画素単位で個別に輝度調整し得ると共に、２画素単位で同時に色調整し得るようになされている。
【００５７】
本実施の形態では、マークの画像について、当該マークの画像の輪郭部分（すなわち静止画像との境界線部分）の一部を除いた画像領域を、同レベルの輝度を有しかつ双方とも同じ色（黒色又は赤色）でなる画像ブロック群で構成しておき（以下、これを基体画像ブロック群と呼ぶ）、当該マークの輪郭部分の残る部分の画像領域を、１画素単位で所定レベルの輝度のみからなる画素群（以下、これを上書き用画素群と呼ぶ）で構成するようになされている。
【００５８】
この上書き用画素群は、静止画像に基体画像ブロック群が重畳された後に、当該基体画像ブロック群の周縁部に上書きすることによってマークの画像の輪郭部分を補足するための画素群であり、基体画像ブロック群及び上書き用画素群の両方を静止画像に重畳することにより、マークの画像全体を構成するようになされている。
【００５９】
例えば上述した図５に示すモニタ１の表示画面１Ａと同様の表示内容が液晶モニタ１２の表示画面１２Ａに表示されている場合を想定する。そして液晶モニタ１２の表示画面１２Ａ上のファインダ画像のうち左下に位置するマークＭ１（図５）に注目して、実際のサイズよりも格段と縮小してなる全５６画素からなる場合について示す。
【００６０】
この図５に示すマークＭ１は、三角形状の赤色領域ＥＲを黒色の線枠ＥＢで囲むように形成されており、４：２：２方式に基づく座標系を設けた場合、水平方向位置の座標が２ｎ、２（ｎ＋１）、…、２（ｎ＋７）と、垂直方向位置の座標がｍ、ｍ＋１、…、ｍ＋７との方形枠内の画像領域に含まれるようになされている。
【００６１】
この座標系において、マークの画像Ｍ１を含む画像領域のうち、水平方向位置が２（ｎ＋１）〜２（ｎ＋４）の範囲と、垂直方向位置がｍ＋２〜ｍ＋６の範囲との方形枠を抜粋した画像領域ＦＡを上述した図７に示し、当該画像領域ＦＡの大部分を４：２：２方式で表した画像領域ＦＡ２の方形枠を図２（Ａ）及び（Ｂ）に分けて示す。
【００６２】
この画像領域ＦＡ２の方形枠において、マークの画像Ｍ１を基体画像ブロック群ＭＰＸ（図２（Ａ））及び上書き用画素群ＭＰＹ（図２（Ｂ））から構成した場合、まず図２（Ａ）に示すように、画像ブロックＰＢ１〜ＰＢ３及びＰＢ６〜ＰＢ１０が基体画像ブロック群ＭＰＸを構成する。
【００６３】
このうち画像ブロックＰＢ１〜ＰＢ３は、２つの画素について、同レベルの輝度を有しかつ双方とも黒色でなる画像ブロックであり、また画像ブロックＰＢ６〜ＰＢ１０は、２つの画素について、同レベルの輝度を有しかつ双方とも赤色でなる画像ブロックである。
【００６４】
そして上書き用画素群ＭＰＹは、図２（Ｂ）に示すように、基体画像ブロック群ＭＰＸの周縁部においてマークの画像の輪郭部分のうち欠落した画像部分を構成する画素群Ｐ４、Ｐ５と、当該基体画像ブロック群ＭＰＸの周縁部において一方の画素に輝度調整が必要な画像ブロックに上書きするための画素群Ｐ６とからなる。
【００６５】
このようにマークの画像Ｍ１を構成する基体画像ブロック群ＭＰＸ（ＰＢ１〜ＰＢ３、ＰＢ６〜ＰＢ１０）及び上書き用画素群ＭＰＹ（Ｐ４〜Ｐ６）について、ＲＯＭ１４には、各種マークごとに、基体画像ブロック群ＭＰＸ及び上書き用画素群ＭＰＹが一体となって格納されると共に、転送対象となる静止画像に対して基体画像ブロック群ＭＰＸを構成する各画像ブロックがどの位置に重畳されるかを表す位置関係と、当該静止画像及び基体画像ブロック群ＭＰＸに対して上書き用画素群ＭＰＹを構成する各画素がどの位置に重畳されるかを表す位置関係とが予め設定されている。
【００６６】
実際に複数種類のマークにはそれぞれ対応する番号（以下、これをマーク番号と呼ぶ）がシリアルに割り当てられると共に、ＲＯＭ１４の所定領域における各マークの画像の格納位置がそれぞれアドレスＩＤ（Ｉｄｅｎｔｉｔｙ）として割り当てられており、当該各種マークごとのマーク番号とアドレスＩＤとの対応関係を規定したテーブル（以下、これをマーク対応テーブルと呼ぶ）がＲＯＭ１４の所定領域に格納されている。
【００６７】
そして複数種類のマークのうち現在の状況に応じた１のマークが指定されると、ＣＰＵ９は、当該マークに対応するマーク番号とアドレスＩＤとを、ＲＯＭ１４内に格納されているマーク対応テーブルに基づいて検索した後、ＲＯＭ１４から当該検索したアドレスＩＤに対応するマークの画像を基体画像ブロック群ＭＰＸ及び上書き用画素群ＭＰＹの順に読み出す。
【００６８】
なお上書き用画素群ＭＰＹを構成する各画素は、輝度レベルが０〔％〕又は１００〔％〕に設定されており、輝度レベルが０〔％〕の画素は黒色で表示される一方、輝度レベルが１００〔％〕の画素は白色で表示されることから、各種マークごとに、それぞれマークの画像の輪郭部分の色に対応させるように予めいずれかに選定されている。
【００６９】
実際にこのディジタルカメラ１では、録画時又は再生時に、液晶モニタ１２の表示画面１２Ａにファインダ画像（動画像）が表示された状態で、ＣＰＵ９は、図３に示すマーク画像重畳処理手順ＲＴ１をステップＳＰ０から開始し、続くステップＳＰ１において、ユーザの操作又は外部機器からの転送要求に応じたタイミングでファインダ画像（静止画像）が指定されるのを待つ。
【００７０】
次のステップＳＰ２において、ＣＰＵ９は、指定されたファインダ画像を４：２：２方式による静止画像としてＲＡＭ１０に格納した後、ステップＳＰ３に進む。
【００７１】
このステップＳＰ３において、ＣＰＵ９は、ファインダ画像が指定された際に液晶モニタ１２の表示画面１２Ａ上の当該ファインダ画像に、カメラ内部の状況又はユーザの指示に応じたマークの画像を重畳表示させる必要があるか否かを判断し、肯定結果を得た場合にのみステップＳＰ４に進んで、ＲＯＭ１４に予め格納されている複数種類のマークの画像の中から該当するマークの画像を決定して、当該マークの画像を構成する４：２：２方式でなる基体画像ブロック群ＭＰＸを読み出す。
【００７２】
続いてＣＰＵ９は、ステップＳＰ５に進んで、４：２：２方式でなる静止画像上の対応する位置に、同じ方式の基体画像ブロック群ＭＰＸを重畳させた後、ステップＳＰ６に進む。
【００７３】
このステップＳＰ６において、ＣＰＵ９は、ＲＯＭ１４から上述の基体画像ブロック群ＭＰＸに対応する上書き用画素群ＭＰＹを読み出した後、ステップＳＰ７に進んで、ＲＡＭ１０において、静止画像及び基体画像ブロック群ＭＰＸ上の対応する位置に、輝度レベルのみ設定された画素単位の上書き用画素群ＭＰＹを重畳させる。
【００７４】
かくしてＣＰＵ９は、４：２：２方式でマークの画像を重畳表示した静止画像を生成することができ、ステップＳＰ８において、当該静止画像を圧縮符号化処理を行い、ユーザの操作又は転送先の指示に応じた外部機器等へ転送した後、ステップＳＰ９に進んで当該マーク画像重畳処理手順ＲＴ１を終了する。
【００７５】
これに対してステップＳＰ３において否定結果が得られた場合は、静止画像にマークの画像を重畳する必要がないことを表しており、このときＣＰＵ９は、ステップＳＰ１０に進んで、静止画像を圧縮符号化処理を行い、そのままユーザの操作又は転送先の指示に応じた外部機器等へ転送した後、ステップＳＰ９に進んで当該マーク画像重畳処理手順ＲＴ１を終了する。
【００７６】
（３）本実施の形態による動作及び効果
以上の構成において、このディジタルビデオカメラ１では、録画時又は再生時に、液晶モニタ１２の表示画面１２Ａにファインダ画像（動画像）が表示された状態で、ユーザの操作又は外部機器からの転送要求に応じたタイミングでファインダ画像が指定されると、当該指定されたファインダ画像を４：２：２方式による静止画像として生成する。
【００７７】
その際、液晶モニタ１２の表示画面１２Ａ上の当該ファインダ画像に、カメラ内部の状況又はユーザの指示に応じたマークの画像が重畳表示されている場合には、ＲＯＭ１４に予め格納されている複数種類のマークの画像の中から該当するマークの画像を決定する。
【００７８】
まずＲＯＭ１４から当該マークの画像を構成する４：２：２方式でなる基体画像ブロック群ＭＰＸを読み出して、同じ方式の静止画像上の対応する位置に重畳させた後、続いて当該マークの画像を構成する輝度レベルのみ設定された画素単位の上書き用画素群ＭＰＹを読み出して、４：２：２方式でなる静止画像及び基体画像ブロック群ＭＰＸ上の対応する位置に重畳させる。
【００７９】
かかるマークの画像を、当該マークの画像の輪郭からはみ出さないように４：２：２方式でなる基体画像ブロック群ＭＰＸを画像ブロック単位で敷き詰めるように配置した後に、当該基体画像ブロック群ＭＰＸの周縁部においてマークの画像の輪郭部分のうち欠落した画像部分を補填すると共に、当該基体画像ブロック群ＭＰＸの周縁部において一方の画素に輝度調整が必要な画像ブロックに上書きするように、輝度レベルのみ設定された画素単位でなる上書き用画素群ＭＰＹを配置するようにして予め構成しておく。
【００８０】
この結果、４：２：２方式による静止画像にマークの画像を重畳する場合に、まず同方式による画像ブロック単位の基体画像ブロック群ＭＰＸを重畳した後に、続いて輝度レベルのみ設定された画素単位の上書き用画素群ＭＰＹを重畳すれば、当該上書き用画素群ＭＰＹに隣接する各画素の発色に影響を与えることなく、あたかも４：４：４方式のマークの画像を静止画像に重畳させた場合と同様の効果を得ることができる。
【００８１】
従って、ＣＰＵ９が４：２：２方式の静止画像にマークの画像を重畳する際に、当該マークの画像と静止画像の重畳位置の画像領域を比較して、その比較結果に応じて、当該マークの画像の輪郭部分に対応する画像ブロックを形成する２つの画素のうちの一方の画素をそのまま静止画像の一部として使用することができるか否かを判断しなければならないといった煩雑さと、必要に応じて当該各画素の輝度レベルを調整しなければならない煩雑さと、ＲＡＭ１０に一旦格納した静止画像を再度読み出さなければならない煩雑さとを回避することができ、かくしてこれらの処理に要するＣＰＵ９の処理負担を格段と低減させることができる。
【００８２】
かくしてこのディジタルビデオカメラ１では、４：２：２方式による静止画像に該当するマークの画像を重畳した状態で、圧縮符号化処理を行った後、ユーザの操作又は転送先の指示に応じた外部機器等へ転送することができる一方、当該転送先である外部機器等においても通常のデコード処理によりマークの画像が重畳された状態の静止画像を取得することができる。
【００８３】
以上の構成によれば、このディジタルビデオカメラ１においては、各種のカメラ機能の設定状態及び撮影条件等に対応する複数種類のマークを、当該各マークごとに、４：２：２方式でなる画像ブロック単位の基体画像ブロック群ＭＰＸと、輝度レベルのみ設定された画素単位の上書き用画素群ＭＰＹとから構成しておき、当該マークの画像を４：２：２方式でなる静止画像に重畳する際に、まず基体画像ブロック群ＭＰＸを重畳した後に続いて上書き用画素群ＭＰＹを重畳するようにしたことにより、４：２：２方式の静止画像に同方式のマークの画像を直接重畳する場合と比較して、これらの処理に要するＣＰＵの処理負担を格段と低減させることができ、かくしてディジタル画像の処理効率を格段と向上させ得るディジタルビデオカメラ１を実現できる。
【００８４】
（４）他の実施の形態
なお上述の本実施の形態においては、本発明による撮像装置として図１に示すようなディジタルビデオカメラ１を適用するようにした場合について述べたが、本発明はこれに限らず、この他種々の構成からなる撮像装置に広く適用することができると共に、腕時計、携帯電話、携帯情報機器（ＰＤＡ：Ｐｅｒｓｏｎａｌ  Ｄｉｇｉｔａｌ  Ａｓｓｉｓｔａｎｎｔｓ）などのモバイル機器としての画像処理装置にも広く適用することができる。
【００８５】
また上述の実施の形態においては、被写体を撮影する撮像手段を、撮像部３、ＣＤＳ及びＡＧＣ部４、Ａ／Ｄ変換部５及び信号処理部６から構成するようにした場合について述べたが、本発明はこれに限らず、被写体の撮影結果を画像データとして得ることができれば、この他種々の構成からなる撮像手段を適用するようにしても良い。
【００８６】
さらに上述の実施の形態においては、撮像結果としての撮像画像を表示する表示手段として、ディジタルカメラ１に搭載された液晶モニタ１２を適用するようにした場合について述べたが、本発明はこれに限らず、この他種々の構成からなる表示手段に広く適用することができ、またケーブル等の有線や無線ＬＡＮ等の無線を介して電気的に接続されていれば、ディジタルカメラ１本体から分離していても良い。
【００８７】
さらに上述の実施の形態においては、複数種類のマークがそれぞれ割り当てられ、当該各マークごとに対応する画像が予め記憶されている記憶手段として、ＲＯＭ１４を適用するようにした場合について述べたが、本発明はこれに限らず、ディジタルビデオカメラの内部に設けらた不揮発性メモリ１６や、外部から装填可能なメモリカード等の記録媒体を適用するようにしても良い。
【００８８】
また単なる記録媒体のみならず、ディジタルビデオカメラ１内にＯＳＤ（Ｏｎ  Ｓｃｒｅｅｎ  Ｄｉｓｐｌａｙ  ）部（図示せず）をＣＰＵ９とバス８を介して接続するように設け、当該ＯＳＤ部の内部メモリを上述したＲＯＭ１４に代用すると共に、ＯＳＤ部自体をＣＰＵ９の処理の一部を担うように制御機能を割り当てるようにしても良い。
【００８９】
要は、各マークごとに、所定の画像フォーマットに応じた所定数の画素単位でなる基体画像ブロック群（画像ブロック群）ＭＰＸと、当該基体画像ブロック群（画像ブロック群）ＭＰＸに対応しかつ輝度レベルのみ設定された画素単位でなる上書き用画素群（画素群）ＭＰＹとが予め記憶されており、必要に応じてマークごとに選択的に読み出すことができれば、種々の構成からなる記憶手段に広く適用するようにしても良い。
【００９０】
さらに上述の実施の形態においては、複数種類のマークの中から必要に応じて指定された１以上のマークに対応する画像を記憶手段から読み出して、表示手段に表示されている撮像結果に重畳させる重畳手段を、ＣＰＵ９及びＲＡＭ１０から構成するようにした場合について述べたが、本発明はこれに限らず、要は、タイミングの指定時に撮像結果に各マークの画像が重畳されている場合には、当該各マークに対応する基体画像ブロック群（画像ブロック群）ＭＰＸ及び上書き用画素群（画素群）ＭＰＹを静止画像に重畳させることができれば、この他種々の構成からなる重畳手段に広く適用することができる。
【００９１】
さらに重畳手段を構成するＣＰＵ９及びＲＡＭ１０は、各マークごとに、基体画像ブロック群（画像ブロック群）ＭＰＸを静止画像に重畳した後に、上書き用画素群（画素群）ＭＰＹを静止画像及び基体画像ブロック群（画像ブロック群）ＭＰＸに重畳させるようにしたが、静止画像に重畳する順番は同時でも良い。
【００９２】
さらに上述の実施の形態においては、各マークごとに基体画像ブロック群（画像ブロック群）ＭＰＸ及び上書き用画素群（画素群）ＭＰＹが設定されており、基体画像ブロック群（画像ブロック群）ＭＰＸは、対応するマークの画像の輪郭からはみ出さないように画像ブロック単位で敷き詰めるように配置され、上書き用画素群（画素群）ＭＰＹは、基体画像ブロック群（画像ブロック群）ＭＰＸの周縁部において当該マークの画像の輪郭部分のうち欠落した画像部分を補填すると共に、当該基体画像ブロック群（画像ブロック群）ＭＰＸの周縁部において一方の画素に輝度調整が必要な画像ブロックに上書きするように画素単位で配置されるようにした場合について述べたが、本発明はこれに限らず、該当するマークの画像を所定の画像フォーマットに基づく静止画像に重畳することができれば、基体画像ブロック群（画像ブロック群）ＭＰＸを構成する各画像ブロック及び上書き用画素群（画素群）ＭＰＹを構成する各画素の組み合わせは任意に設定しても良い。
【００９３】
例えば静止画像に重畳するマークを、実際のサイズよりも格段と縮小してなる全１６画素から構成した場合の画像領域ＦＢを図４（Ａ）に示す。このマークの画像ＦＢは、三角形状の赤色領域ＥＲを黒色の線枠ＥＢと白色の線枠ＥＷとで交互に囲むように形成されており、４：２：２方式に基づく座標系を設けた場合、水平方向位置の座標が２ｌ、２（ｌ＋１）、…、２（ｌ＋４）と、垂直方向位置の座標がｋ、ｋ＋１、…、ｋ＋４との方形枠内の画像領域に含まれるようになされている。
【００９４】
この座標系における画像領域ＦＢの方形枠において、マークの画像を基体画像ブロック群ＭＰＶ（図４（Ｂ））及び上書き用画素群ＭＰＷ（図４（Ｃ））から構成した場合、まず図４（Ｂ）に示すように、画像ブロックＰＢ２０〜ＰＢ２５が基体画像ブロック群ＭＰＶを構成する。このうち画像ブロックＰＢ２０〜ＰＢ２５は、２つの画素について、同レベルの輝度を有しかつ双方とも赤色でなる画像ブロックである。
【００９５】
そして上書き用画素群ＭＰＷは、図４（Ｃ）に示すように、基体画像ブロック群ＭＰＶの周縁部においてマークの画像の輪郭部分のうち欠落した画像部分を構成する画素群Ｐ１０、Ｐ１３、Ｐ１６と、当該基体画像ブロック群ＭＰＶの周縁部において一方の画素に輝度調整が必要な画像ブロックに上書きするための画素群Ｐ１１、Ｐ１２、Ｐ１４、Ｐ１５とからなる。かかる上書き用画素群ＭＰＷを構成する各画素は、輝度レベルが０〔％〕の画素Ｐ１０〜Ｐ１２は黒色で表示される一方、輝度レベルが１００〔％〕の画素Ｐ１３〜Ｐ１６は白色で表示される。
【００９６】
かくして基体画像ブロック群ＭＰＶ及び上書き用画素群ＭＰＷの両方を静止画像に重畳することにより、図４（Ａ）に示すようなマークの画像を表す画像領域ＦＢを得ることができる。
【００９７】
また上書き用画素群（画素群）ＭＰＹを、基体画像ブロック群（画像ブロック群）ＭＰＸの周縁部において当該マークの画像の輪郭部分のうち欠落した画像部分を補填すると共に、当該基体画像ブロック群（画像ブロック群）ＭＰＸの周縁部において一方の画素に輝度調整が必要な画像ブロックに上書きするように画素単位で配置されるようにした場合について述べたが、本発明はこれに限らず、上書き用画素群（画素群）ＭＰＹを、基体画像ブロック群（画像ブロック群）ＭＰＸの内部（図示せず）に配置されるようにしても良い。この場合、静止画像の内部においても輝度レベルが１００〔％〕又は０〔％〕の画素群を重畳することによって見た目が４：４：４方式の細かいデータを生成することができる。
【００９８】
さらに上述の実施の形態においては、液晶モニタ１２（表示手段）の表示画面１２Ａに表示されている撮像結果のうち指定されたタイミングで所定の画像フォーマットに基づく静止画像に変換する画像変換手段を、データ圧縮伸長部２２及びＣＰＵ９から構成するようにした場合について述べたが、本発明はこれに限らず、撮像結果を指定されたタイミングで画像フォーマットに基づく静止画像に変換することができれば、この他種々の構成からなる画像変換手段に広く適用することができる。
【００９９】
さらに本実施の形態においては、撮像結果をＪＰＥＧ規格に基づく画像フォーマットに基づく静止画像に圧縮符号化するようにした場合について述べたが、これ以外にも、ＴＩＦＦ（Ｔａｇｇｅｄ  Ｉｍａｇｅ  Ｆｉｌｅ  Ｆｏｒｍａｔ）、ＤＣＦ（Ｄｅｓｉｇｎ  Ｒｕｌｅ  ｆｏｒ  Ｃａｍｅｒａ  Ｆｉｌｅ  Ｓｙｓｔｅｍ）、ＣＩＦＦ（Ｃａｍｅｒａ  Ｉｍａｇｅ  Ｆｉｌｅ  Ｆｏｒｍａｔ）、ＧＩＦ（Ｇｒａｐｈｉｃｓ  Ｉｎｔｅｒｃｈａｎｇｅ  Ｆｏｒｍａｔ）、ＢＭＰ（Ｂｉｔ  Ｍａｐ）、ＰＩＣＴ（Ｑｕｉｃｋ  Ｄｒａｗ  Ｐｉｃｔｕｒｅ  Ｆｏｒｍａｔ）及びＦＰＸ（Ｆｌａｓｈ  Ｐｉｘ）等の種々の画像フォーマットに基づく静止画像に圧縮符号化するようにしても良い。
【０１００】
さらに上述の実施の形態においては、外部に設けられた転送対象からタイミングの指定が与えられたとき、ＣＰＵ９及びＲＡＭ１０（重畳手段）により得られる各マークに対応する基体画像ブロック群（画像ブロック群）ＭＰＸ及び上書き用画素群（画素群）ＭＰＹが重畳された静止画像を、転送対象に転送する転送手段を、送受信部２０及びインターフェース２１から構成するようにした場合について述べたが、本発明はこれに限らず、所定の画像フォーマットに基づく静止画像を転送先に転送することができれば、この他種々の構成でなる転送手段に広く適用するようにしても良い。
【０１０１】
さらに本実施の形態の場合には、ブルートゥース（Ｂｌｕｅｔｏｏｔｈ）等の無線ＬＡＮを用いた送受信を行うようにしたが、対応する各種の外部機器との間で種々の情報を送受信することができれば、これ以外の無線通信回線のみならず、一般公衆回線や有線ＬＡＮ等の有線通信回線網からなる通信手段に広く適用することができる。
【０１０２】
【発明の効果】
上述のように本発明によれば、被写体の撮像結果を表示手段に表示する撮像装置において、複数種類のマークがそれぞれ割り当てられ、当該各マークごとに対応する画像が予め記憶されている記憶手段と、複数種類のマークの中から必要に応じて指定された１以上のマークに対応する画像を記憶手段から読み出して、表示手段に表示されている撮像結果に重畳させる重畳手段と、表示手段に表示されている撮像結果のうち指定されたタイミングで所定の画像フォーマットに基づく静止画像に変換する画像変換手段とを設け、記憶手段には、各マークごとに、画像フォーマットに応じた所定数の画素単位でなる画像ブロック群と、当該画像ブロック群に対応しかつ輝度レベルのみ設定された画素単位でなる画素群とが予め記憶され、重畳手段は、タイミングの指定時に撮像結果に各マークの画像が重畳されている場合には、当該各マークに対応する画像ブロック群及び画素群を記憶手段から読み出して、静止画像に重畳させるようにしたことにより、同じ画像フォーマットに基づくマークの画像を静止画像に直接重畳する場合と比較して、画像領域の比較や輝度調整等に要するの処理負担を格段と低減させることができ、かくして画像処理の効率を格段と向上させ得る撮像装置を実現できる。
【０１０３】
また本発明によれば、被写体の撮像結果を表示手段に表示する撮像方法において、複数種類のマークについて、各マークごとに、画像フォーマットに応じた所定数の画素単位でなる画像ブロック群と、当該画像ブロック群に対応しかつ輝度レベルのみ設定された画素単位でなる画素群とを予め記憶しておく第１のステップと、複数種類のマークの中から必要に応じて指定された１以上のマークに対応する画像を表示手段に表示されている撮像結果に重畳させる第２のステップと、表示手段に表示されている撮像結果のうち指定されたタイミングで所定の画像フォーマットに基づく静止画像に変換する第３のステップと、タイミングの指定時に撮像結果に各マークの画像が重畳されている場合には、当該各マークに対応する画像ブロック群及び画素群を静止画像に重畳させる第４のステップとを設けるようにしたことにより、同じ画像フォーマットに基づくマークの画像を静止画像に直接重畳する場合と比較して、画像領域の比較や輝度調整等に要するの処理負担を格段と低減させることができ、かくして画像処理の効率を格段と向上させ得る撮像方法を実現できる。
【０１０４】
さらに本発明によれば、動画像を表示手段に表示する画像処理装置において、複数種類のマークがそれぞれ割り当てられ、当該各マークごとに対応する画像が予め記憶されている記憶手段と、複数種類のマークの中から必要に応じて指定された１以上のマークに対応する画像を記憶手段から読み出して、表示手段に表示されている動画像に重畳させる重畳手段と、表示手段に表示されている動画像のうち指定されたタイミングで所定の画像フォーマットに基づく静止画像に変換する画像変換手段とを設け、記憶手段には、各マークごとに、画像フォーマットに応じた所定数の画素単位でなる画像ブロック群と、当該画像ブロック群に対応しかつ輝度レベルのみ設定された画素単位でなる画素群とが予め記憶され、重畳手段は、タイミングの指定時に動画像に各マークの画像が重畳されている場合には、当該各マークに対応する画像ブロック群及び画素群を記憶手段から読み出して、静止画像に重畳させるようにした。ようにしたことにより、同じ画像フォーマットに基づくマークの画像を静止画像に直接重畳する場合と比較して、画像領域の比較や輝度調整等に要するの処理負担を格段と低減させることができ、かくして画像処理の効率を格段と向上させ得る画像処理装置を実現できる。
【０１０５】
さらに本発明によれば、動画像を表示手段に表示する画像処理方法において、複数種類のマークについて、各マークごとに、画像フォーマットに応じた所定数の画素単位でなる画像ブロック群と、当該画像ブロック群に対応しかつ輝度レベルのみ設定された画素単位でなる画素群とを予め記憶しておく第１のステップと、複数種類のマークの中から必要に応じて指定された１以上のマークに対応する画像を表示手段に表示されている動画像に重畳させる第２のステップと、表示手段に表示されている動画像のうち指定されたタイミングで所定の画像フォーマットに基づく静止画像に変換する第３のステップと、タイミングの指定時に動画像に各マークの画像が重畳されている場合には、当該各マークに対応する画像ブロック群及び画素群を静止画像に重畳させる第４のステップとを設けるようにしたことにより、同じ画像フォーマットに基づくマークの画像を静止画像に直接重畳する場合と比較して、画像領域の比較や輝度調整等に要するの処理負担を格段と低減させることができ、かくして画像処理の効率を格段と向上させ得る画像処理方法を実現できる。
【図面の簡単な説明】
【図１】本実施の形態によるディジタルビデオカメラの構成を示すブロック図である。
【図２】基体画像ブロック群及び上書き画素群の構成を示す略線的な平面図である。
【図３】マーク画像重畳処理手順の説明に供するフローチャートである。
【図４】他の実施の形態による基体画像ブロック群及び上書き画素群の構成を示す略線的な平面図である。
【図５】従来の撮像結果の表示状態の説明に供する略線的な平面図である。
【図６】マークの画像の表示例の説明に供する略線的な平面図である。
【図７】図６に示すマークの画像の一部を表す画像領域の説明に供する略線的な平面図である。
【図８】図６に示すマークの画像の一部を４：２：２方式により表した画像領域の説明に供する略線的な平面図である。
【符号の説明】
１……ディジタルビデオカメラ、６……信号処理部、７……メモリコントローラ、９……ＣＰＵ、１０……ＲＡＭ、１１……ビデオコンコーダ、１２……液晶モニタ、１４……ＲＯＭ、１６……操作部、２０……送受信部、２２……データ圧縮伸長部、ＲＴ１……マーク画像重畳処理手順、ＭＰＸ、ＭＰＶ……基体画像ブロック群、ＭＰＹ、ＭＰＷ……上書き画素群。
【図１】
2004274626.tif 000003
【図２】
2004274626.tif 000004
【図３】
2004274626.tif 000005
【図４】
2004274626.tif 000006
【図５】
2004274626.tif 000007
【図６】
2004274626.tif 000008
【図７】
2004274626.tif 000009
【図８】
2004274626.tif 000010